(57)【特許請求の範囲】
【請求項１】
少なくとも２つのパーティションを有して、パーティションの各々に記録データが記録されているテープ状記録媒体を有しているテープカセットに対して、上記記録データの記録及び／又は再生を行うテープ記録及び／又は再生装置であって、
上記テープ状記録媒体の走行を制御する走行制御手段と、
上記テープ状記録媒体の記録又は再生の実行中にアンロード命令が出されたとき、上記走行制御手段を制御して、上記テープ状記録媒体を現在位置しているパーティションの直前のパーティション内の最終位置に設けられている排出領域に移動して上記テープカセットを排出するシステム制御手段と
を備えることを特徴とするテープ記録及び／又は再生装置。
【請求項２】
上記テープ状記録媒体に関する情報データを当該テープ状記録媒体とは別に記憶する記憶部を有する上記テープカセットの上記記憶部に対して上記情報データを記憶させる情報データ書き込み手段をさらに備え、
上記システム制御手段は、上記走行制御手段によって上記テープ状記録媒体を現在位置しているパーティションの直前のパーティション内の最終位置に設けられている排出領域に移動させるとともに、上記情報データ書き込み手段によって上記テープ状記録媒体の上記排出領域への移動前のパーティションの位置情報を上記記憶部に書き込むことを特徴とする請求項１記載のテープ記録及び／又は再生装置。
【請求項３】
上記記憶部に記憶されている情報データを読み取る情報データ読み取り手段をさらに備え、上記テープカセットが再装着された際には、上記システム制御手段は、上記情報データ読み取り手段によって上記記憶部から読み込んだ上記パーティションの位置情報に基づいて、上記テープ状記録媒体を所定テープ位置に移動させることを特徴とする請求項２記載のテープ記録及び／又は再生装置。
【請求項４】
上記テープカセットの排出時には、上記情報データ書き込み手段は、記録又は再生が実行されたパーティションに設けられているシステムエリアに記録されるシステム情報及び使用履歴情報を書き込むことを特徴とする請求項２記載のテープ記録及び／又は再生装置。
【請求項５】
最後のパーティションを除いた全てのパーティションの最終位置に上記排出領域が形成されるとともに、先頭のパーティションの直前に上記排出領域が形成されていることを特徴とする請求項１記載のテープ記録及び／又は再生装置。
【請求項６】
少なくとも２つのパーティションを有して、パーティションの各々に記録データが記録されているテープ状記録媒体を有しているテープカセットに対して、上記記録データの記録及び／又は再生を行うテープ記録及び／又は再生方法であって、
上記テープ状記録媒体の記録又は再生の実行中にアンロード命令が出されたとき、上記テープ状記録媒体を現在位置しているパーティションの直前のパーティション内の最終位置に設けられている排出領域に移動させるテープ移動工程と、
上記テープ移動工程によって上記排出領域に移動された後に上記テープカセットを排出する排出工程と
を有することを特徴とするテープ記録及び／又は再生方法。
【請求項７】
上記テープ状記録媒体に関する情報データをテープ状記録媒体とは別に記憶する記憶部を有する上記テープカセットに対する工程であって、上記現在位置しているパーティションの位置情報を上記記憶部に書き込みする情報書き込み工程をさらに有することを特徴とする請求６記載のテープ記録及び／又は再生方法。
【発明の詳細な説明】
【０００１】
【発明の属する技術分野】
本発明は、テープ状記録媒体に記録したデータを容易に把握することができるテープ記録及び／又は再生装置、及びテープ記録及び／又は再生方法に関する。
【０００２】
【従来の技術】
デジタルデータを磁気テープに記録及び再生することのできる記録再生装置として、いわゆるテープストリーマ装置が知られている。このようなテープストリーマ装置は、メディアであるテープカセットのテープ長にもよるが、例えば数十〜数百ギガバイト程度の膨大な記録容量を有することが可能であり、このため、コンピュータ本体のハードディスク等のメディアに記録されたデータをバックアップするなどの用途に広く利用されている。また、データサイズの大きい画像データ等の保存に利用する場合にも好適とされている。
【０００３】
そして、上述のようなテープストリーマ装置として、例えば、８ミリＶＴＲのテープカセットを記録媒体として、回転ヘッドによるヘリカルスキャン方式を採用してデータの記録／再生を行うようにされたものが提案されている。
【０００４】
また、テープストリーマ装置によってデータの記録及び再生される磁気テープは、通常、カセット筐体内に回転自在に取り付けられているリールに巻かれている。例えば、テープカセットに収納されて、磁気テープは保管されている。
【０００５】
テープカセットは、回転自在に取り付けているリールによって上記磁気テープを巻き取り保存している。そして、テープカセットには、リールを１つしかもたないものと２つのリールを有するものがある。
【０００６】
リールを１つしかもたないテープカセットは、１リール故に、テープストリーマ装置から当該テープカセットが排出される前にテープを巻き戻せざるを得ない。
【０００７】
また、２つリールを有するテープカセットであっても、例えば、長期間保存する場合に片方のリールに全部巻いておいた方が好ましく、またはカートリッジの中とはいえ長時間データの記録面を露出しておくとほこりが付着してしまう等の理由から、通常は、磁気テープを先頭まで巻き戻してテープストリーマ装置から排出されている。
【０００８】
【発明が解決しようとする課題】
ところで、上述のような理由によりテープを巻き戻しているのであるが、その磁気テープの長さにもよるが巻き戻す時間がかかる。このような場合、テープカセットを繁雑に交換するアプリケーションにおいては不都合である。
【０００９】
さらに、例えば長期間保管は期待せずに必要水準まで塵を排除した環境で、とにかく磁気テープに記録されているデータの記録及び再生を行いたいこともある。例えば、テープストリーマ装置においては、テープカセットのローディングとアンローディング時間を短くして頻繁にテープカセットの交換を実施するようなアプリケーションにとって有利である。
【００１０】
以上のようにテープカセットにおいて磁気テープが毎回巻き戻されていたのでは、アンローディングおよびローディング時間がかかってしまう。
【００１１】
そこで、本発明は、上述の実情に鑑みてなされたものであり、短時間にアンローディング及びローディングできるテープ記録及び／又は再生装置、及びテープ記録及び／又は再生方法の提供を目的とする。
【００１２】
【課題を解決するための手段】
本発明に係るテープ記録及び／又は再生装置は、上述の課題を解決するために、少なくとも２つのパーティションを有して、パーティションの各々に記録データが記録されているテープ状記録媒体を有しているテープカセットに対して、記録データの記録及び／又は再生を行うテープ記録及び／又は再生装置であって、テープ状記録媒体の走行を制御する走行制御手段と、テープ状記録媒体の記録又は再生の実行中にアンロード命令が出されたとき、走行制御手段を制御して、テープ状記録媒体を現在位置しているパーティションの直前のパーティション内の最終位置に設けられている排出領域に移動してテープカセットを排出するシステム制御手段とを備える。
【００１３】
このように構成することで、テープ記録及び／又は再生装置は、テープカセットを排出する際、当該排出動作前の現在位置しているパーティションの直前のパーティション内の最終位置に設けられている排出領域になるようにテープ状記録媒体を送った後、テープカセットを排出する。
【００１４】
また、本発明に係るテープ記録及び／又は再生方法は、上述の課題を解決するために、少なくとも２つのパーティションを有して、パーティションの各々に記録データが記録されているテープ状記録媒体を有しているテープカセットに対して、記録データの記録及び／又は再生を行うテープ記録及び／又は再生方法であって、テープ状記録媒体の記録又は再生の実行中にアンロード命令が出されたとき、テープ状記録媒体を現在位置しているパーティションの直前のパーティション内の最終位置に設けられている排出領域に移動させるテープ移動工程と、テープ移動工程によって排出領域に移動された後にテープカセットを排出する排出工程とを有する。
【００１５】
このように構成することで、テープ記録及び／又は再生方法は、テープカセットを排出する際、当該排出動作前の現在位置しているパーティションの直前のパーティション内の最終位置に設けられている排出領域になるようにテープ状記録媒体を送った後、テープカセットを排出する。
【００１６】
【発明の実施の形態】
以下、本発明に係る実施の形態について図面を参照しながら説明する。
【００１７】
本発明の実施の形態は、少なくとも２つのパーティションを有して、パーティションの各々に記録データが記録されているテープ状記録媒体とされる磁気テープを有しているテープカセットに対して、記録データの記録及び／又は再生を行うテープストリーマ装置である。
【００１８】
このテープストリーマ装置は、図１に示すように、上記磁気テープの走行を制御する走行制御機能を有するモータ駆動及びサーボ回路１５０と、モータ駆動及びサーボ回路１５０を制御して、上記磁気テープを現在位置しているパーティションの直前のパーティション内の最終位置に設けれている排出領域に移動してテープカセットを排出する制御機能を有するシステムコントローラ１６１とを備えている。
【００１９】
上記モータ駆動及びサーボ回路５０は、トラッキング制御機能や上記磁気テープの走行制御機能を有している。磁気テープの走行制御は、例えばピンチローラ或いは磁気テープが巻装されているリールの回転を制御して行う。
【００２０】
上記システムコントローラ１６１は、各種回路を制御する回路であって、例えば、上記モータ駆動及びサーボ回路１５０の駆動制御を行う。
【００２１】
なお、上記磁気テープにおいて、複数のパーティションが記録再生方向に連続して設けられており、最後のパーティションを除いた全てのパーティションの最終位置に排出領域とされるオプションデバイスエリアが形成されるとともに、先頭のパーティションの直前に後述するデバイスエリアが形成されている。
【００２２】
よって、パーティションの直前のパーティションとは、現在位置するパーティションに対して記録再生方向とは反対方向に連続して設けられているパーティションである。
【００２３】
このように構成したテープストリーマ装置１は、アンローディング及びローディング時において、アンローディングの命令前に位置しているパーティションの直前のパーティションの排出領域になるように磁気テープを送った後、当該装置からテープカセットを排出する。これによりテープストリーマ装置１は、アンローディング及びローディング時の動作を高速で行うことができる。詳しい説明は、テープストリーマ装置１の装置概要を説明してから行う。
【００２４】
この図１に示すテープストリーマ装置１は、外部とのデータの授受を行うためのインタフェースコントローラ１００と、このインタフェースコントローラ１００を介して入力されたデータに信号処理を施して所定のフォーマットに変換する記録データ処理系１２０と、この記録データ処理系１２０から供給される信号を磁気テープに記録すると共に、磁気テープを再生する記録再生部１３０とを備えている。また、このテープストリーマ装置は、該記録再生部１３０からの再生出力に信号処理を施して、磁気テープに記録されたデータを再生する再生データ処理系１４０と、上記記録再生部１３０のテープ走行系を制御するモータ駆動及びサーボ回路１５０と、磁気テープに記録するデータの管理を行う記録データ管理部１６０とを備えている。
【００２５】
また、このテープストリーマ装置で用いるテープカセット１０は、その内部に磁気テープに記録したデータを識別するための識別情報やシステムログを記憶する記憶素子としてメモリ（ＭＩＣ：Memory In Cassette）１１を備えている。
【００２６】
このテープストリーマ装置において、上記インターフェースコントローラ１００は、いわゆるＳＣＳＩ（Small Computor System Interface） からなり、外部のパーソナルコンピュータ、ワークステーション等の情報処理装置から供給されるデータを上記記録データ処理系１２０に供給すると共に、上記再生データ処理系１４０により再生された記録データを情報処理装置に供給する。
【００２７】
このテープストリーマ装置においては、例えばデータ記録時にはホストコンピュータ２００から、後述する固定長のレコード（record）という伝送データ単位によりＳＣＳＩインターフェイス１００を介して逐次データが入力され、圧縮回路１１０に供給される。なお、このようなテープストリーマ装置システムにおいては、可変長のデータの集合単位によってホストコンピュータ２００よりデータが伝送されるモードも存在するが、ここでは説明は省略する。尚、このホストコンピュータ２００には、キーボード２０１等が接続されている。
【００２８】
圧縮回路１１０では、入力されたデータについて必要があれば、所定方式によって圧縮処理を施すようにされる。圧縮方式の一例として、例えばＬＺ符号による圧縮方式を採用するのであれば、この方式では過去に処理した文字列に対して専用のコードが割り与えられて辞書の形で格納される。そして、以降に入力される文字列と辞書の内容とが比較されて、入力データの文字列が辞書のコードと一致すればこの文字列データを辞書のコードに置き換えるようにしていく。辞書と一致しなかった入力文字列のデータは逐次新たなコードが与えられて辞書に登録されていく。このようにして入力文字列のデータを辞書に登録し、文字列データを辞書のコードに置き換えていくことによりデータ圧縮が行われるようにされる。
【００２９】
また、上記記録データ処理系１２０は、上記インタフェースコントローラ１００を介して供給された記録データにインデックス情報を付加するインデックス付加部１２１と、サブコードを発生するサブコード発生部１２２と、上記インデックス付加部１２１からの記録データを誤り訂正符号化する誤り訂正符号生成部１２３と、誤り訂正符号化した記録データに上記サブコード発生部１２２からのサブコード及びブロックアドレスを付加するサブコード付加部１２４とを備えている。
【００３０】
上記サブコード発生部１２２は、第１及び第２のサブコード発生部１２２Ａ，１２２Ｂと、システムログ生成部１２２Ｃとからなる。また、上記誤り訂正符号生成部１２３は、メモリ１４９、Ｃ１エンコーダ１２３Ａ、Ｃ２エンコーダ１２３Ｂ及びＣ３エンコーダ１２３Ｃからなる。
【００３１】
また、この記録データ処理系１２０は、サブコード付加部１２４からの記録データにヘッダパリティを付加するヘッダパリティ付加部１２５と、このヘッダパリティ付加部１２５から供給される記録データを８／１０変調（Eight to Ten Moduration ）する８／１０変調部１２６と、この８／１０変調部１２６から供給される記録データに同期信号を付加する同期信号付加部１２７と、この同期信号付加部１２７から供給される記録データにトラッキング制御用のＡＴＦ（Automatic Track Following ）用パイロット信号を付加するパイロット信号付加部１２８と、このパイロット信号付加部１２８から供給される記録データを増幅するアンプ１２９とを備えている。
【００３２】
また、上記記録再生部１３０は、各々アジマス角が異なる２つの記録用の磁気ヘッドＨｗ１，Ｈｗ２と、各々アジマス角が異なる２つの再生用の磁気ヘッドＨｒ１，Ｈｒ２とを磁気テープ１２に対して傾斜して回転させる回転ドラム１３１を備えている。これらの２対の磁気ヘッドＨｗ１，Ｈｗ２，Ｈｒ１，Ｈｒ２は、それぞれ回転ドラム１３１の円周方向に近接して、回転ドラム１３１の軸方向（すなわち、トラック幅方向）にトラックピッチＴｐ分の間隔を有するように取り付けられている。
【００３３】
また、上記再生データ系１４０は、上記記録再生部１３０から供給される上記磁気テープ１２の傾斜トラックの再生出力を増幅する増幅器１４１と、この増幅器１４１から供給される再生出力から同期信号を検出すると共に、再生出力を２値化した後、時間軸補正を行って出力する同期信号検出部１４２と、この同期信号検出部１４２からの２値化された再生データを８／１０復調（Eight to Ten Demoduration ）する８／１０復調部１４３と、この８／１０復調部１４３からの再生データのヘッダパリティをチェックするヘッダパリティチェック部１４４とを備えている。
【００３４】
また、上記ヘッダパリティチェック部１４４からの再生データからサブコードを分離するサブコード分離部１４５と、このサブコード分離部１４５からのサブコードが分離された再生データに誤り訂正処理を行う誤り訂正処理部１４６と、この誤り訂正処理部１４６により誤り訂正された再生データからインデックスを分離するインデックス分離部１４７とを備えている。上記誤り訂正処理部１４６は、メモリ１４９、Ｃ１デコーダ１４６Ａ、Ｃ２デコーダ１４６Ｂ及びＣ３デコーダ１４６Ｃからなる。
【００３５】
また、上記モータ駆動及びサーボ回路１５０は、上記記録再生部１３０から回転ドラム１３１の回転に応じたＰＧパルスが供給されるＰＧ検出部、該ＰＧ検出部の検出出力から速度エラーを検出する速度エラー検出部、上記記録再生部１３０の再生出力からＡＴＦ用パイロット信号を検出するパイロット信号検出部、速度エラー検出部とパイロット信号検出部の各検出出力を加算する加算部、該加算部の加算出力に基づいてトラッキングサーボ信号を発生するトラッキングサーボ回路、このトラッキングサーボ信号に基づいて上記記録再生部１３０のテープ走行系を制御するキャプスタン駆動回路等を備えている。
【００３６】
また、上記モータ駆動及びサーボ回路１５０は、テープカセットに回転自在に取り付けられているリールを回転操作する駆動操作手段を備えている。
【００３７】
モータ駆動及びサーボ回路１５０は、駆動制御手段を制御して、例えば、所定位置への磁気テープ１２を高速送り出し等をすることができる。例えば、後述するオプションデバイスエリアへの移動も高速送り出しによって行うこともできる。
【００３８】
上記モータ駆動及びサーボ回路１５０は、システムコントローラ１６１によってその動作が制御されている。
【００３９】
また、上記記録データ管理部１６０は、磁気テープに記録するデータの管理等の処理を行うシステムコントローラ１６１と、上記識別情報を保持するＲＡＭ１６２と、上記記録再生部１３０を介して上記ＲＡＭ１６２に対する書き込み及び読み出し等を制御する書き込み／読み出し制御部１６３とを備えている。
【００４０】
上記システムコントローラ１６１は、上記識別情報として、磁気テープ上に設けられたパーティション及び磁気テープに記録されているファイル等を管理するためのシステムログ等を上記ＲＡＭ１６２に書き込む。そして、上記書き込み／読み出し制御部１６３は、上記ＲＡＭ１６２に記憶されているシステムログを読み出して、記録再生部１３０を介してＭＩＣ１１に供給すると共に、ＭＩＣ１１から読み出したシステムログを上記ＲＡＭ１６２に書き込む。
【００４１】
伸長回路１７０では、システムコントローラ１６１の判断に基づいて、記録時に圧縮回路１１０により圧縮が施されたデータであればここでデータ伸長処理を行い、非圧縮データであればデータ伸長処理を行わずにそのままパスして出力される。
【００４２】
伸長回路１７０の出力データはＳＣＳＩインターフェイス１００を介して再生データとしてホストコンピュータ２００に出力される。
【００４３】
また、この図１にはテープカセット１０に設けられたＭＩＣ１１が示されている。このＭＩＣ１１は、テープカセット本体がテープストリーマ装置に装填されると、端子ピン等を介してシステムコントローラ１６１とデータの入出力が可能なように接続される。
【００４４】
また、ＭＩＣ１１と外部のホストコンピュータ２００間はＳＣＳＩのコマンドを用いて情報の相互伝送が行われる。このため、特にＭＩＣ１１とホストコンピュータ２００間との間に専用のラインを設ける必要はなく、結果的にテープカセットとホストコンピュータ２００とのデータのやりとりは、ＳＣＳＩインターフェイスコントローラ１００だけで結ぶことができる。
【００４５】
次に、上述したような構成を有するテープストリーマ装置の動作について以下説明する。
このテープストリーマ装置では、記録を行う際に上記インタフェースコントローラ１００を介して、パーソナルコンピュータ、ワークステーション等の情報処理装置から記録データが供給される。インタフェースコントローラ１００は、バス１０５を介して記録データが供給されると、該供給された記録データをインデックス付加部１２１とサブコード発生部１２２に供給する。
【００４６】
上記インデックス付加部１２１は、上記インタフェースコントローラ１００から記録データが供給されると、該供給された記録データに上述の４０トラックすなわち２０フレームを単位とする１単位毎に１連の記録データを識別するためのインデックス情報を付加して誤り訂正符号生成部１２３に供給する。
【００４７】
誤り訂正符号生成部１２３は、上記インデックス付加部１２１から供給された記録データを１単位毎に上記メモリ１４９に一時記憶する。そして、上記Ｃ３エンコーダ１２３Ｃは、上記メモリ１４９に記憶された１単位毎の記録データについて、上述のトラック幅方向に対応するデータ列のエラー訂正符号Ｃ３を生成し、このエラー訂正符号Ｃ３を上記１単位４０トラックの最終の２トラックに割り当てる。また、上記Ｃ２エンコーダ１２３Ｂは、上述のトラック方向に対応するデータ列のエラー訂正符号Ｃ２を生成し、このエラー訂正符号Ｃ２を２分割して各トラックの上記メインデータ領域の両端部分に割り当てる。さらに、上記Ｃ１エンコーダ１２３Ａは、上述の各ブロック毎の誤り訂正符号Ｃ１を生成する。
【００４８】
一方、上記サブコード発生部１２２の第１のサブコード発生部１２２Ａは、上記インタフェースコントローラ１００を介して入力された記録データに基づいて、記録データの区切りを示す区切り情報であるセパレータカウントや記録数を示すレコードカウント等を発生する。また、上記第２のサブコード発生部１２２Ｂは、テープフォーマット上で定義された各領域を示すエリアＩＤ、フレーム番号、記録単位数を示すグループカウントやチェックサム等をブロックアドレスと共に発生する。さらに、上記システムログ生成部１２２Ｃは、上記テープフォーマットとして規定されている各パーティション毎のシステムログ（履歴情報）を生成する。
【００４９】
また、上記サブコード付加部１２４は、上記誤り訂正符号生成部１２３により誤り訂正符号Ｃ３，Ｃ２，Ｃ１が付加された記録データに上記サブコード発生部１２２から供給されるサブコード及びブロックアドレスを付加する。これにより、上記サブコード及びブロックアドレスを上述の各ブロックの第２区間に割り付ける。また、このサブコード付加部１２４は、上述のように第２のサブコード発生部１２２Ｂで発生したエリアＩＤ、ブロックアドレス等を上述の２つのサブ領域（サブ１，サブ２）の各ブロックに割り当てる。また、サブコード付加部１２４は、上記第１のサブコード発生部１２２Ａにより発生したカウント値、上記第２のサブコード発生部１２２Ｂにより発生したエリアＩＤ、グループカウント、チェックサム等からサブデータを構成し、２つのサブ領域の各ブロックに割り当てる。
【００５０】
上記ヘッダパリティ付加部１２５は、上記サブコード付加部１２４により記録データに付加されたサブコード及びブロックアドレスについてエラー検出のための２バイトパリティを生成し、この２バイトパリティを上記記録データに付加する。これにより、上記２バイトパリティを上述の各ブロックの第３区間に割り付ける。また、このヘッダパリティ付加部１２５は、上記２つのサブ領域（サブ１，サブ２）の各ブロックにも１バイトのパリティを付加する。
【００５１】
上記８／１０変調部１２６は、上記ヘッダパリティ付加部１２５によりヘッダパリティ及びブロックアドレスが付加されたメインデータ領域の記録データと２つのサブ領域の各ブロックの記録データを１バイト単位で８ビットを１０ビットに変換して、記録する信号の直流レベルを略々０に保つようにする。
【００５２】
また、上記同期信号付加部１２７は、上記８／１０変調部１２６により１０ビットデータに変換された記録データに１ブロック毎に同期信号を付加する。これにより、上記同期信号を上述の各ブロックの第１区間に割り付ける。そして、このように形成した記録データをパイロット信号付加部１２８に供給する。
【００５３】
パイロット信号付加部１２８は、ＡＴＦ用パイロット信号を発生し、このＡＴＦ用パイロット信号を記録データに付加して、増幅器１２９を介して磁気ヘッドＨｗ１，Ｈｗ２に供給する。これにより、磁気ヘッドＨｗ１，Ｈｗ２が磁気テープ上を走査して記録を行い、磁気テープ上には、所定のフォーマットで記録トラックが形成される。
【００５４】
ここで、上述のような記録に先だって、磁気テープ１２上には予めパーティションが作成されるようにしてもよい。この場合、上記システムコントローラ１６１は、磁気テープにパーティションを作成した後、パーティションの数、各パーティションの開始位置等を示すパーティションの管理情報を作成してＲＡＭ１６２に書き込む。
【００５５】
また、システムコントローラ１６１は、パーティション内にディレクトリが作成、削除、変更された場合、あるいはディレクトリ内にファイルが記録、削除、変更された場合等に、ＲＡＭ１６２から個々のファイルの識別情報を読み出し、上記記録等に応じて変更した後、ＲＡＭ１６２に書き込む。さらに、システムコントローラ１６１は、ファイルの記録、削除、変更等を行う場合には、ＲＡＭ１６２から個々のファイルの記録位置を管理するための管理情報を読み出し、ファイルの新たな記録位置に応じて変更した後、ＲＡＭ１６２に書き込む。
【００５６】
そして、上記書き込み／読み出し制御部１６３は、ＲＡＭ１６２に記憶されている各パーティションの管理情報、個々のファイルの識別情報、個々のファイルの記録位置を管理するための管理情報が更新されると、上記記録再生部１３０のコネクタ１３７、接点端子６３を介して上記ＭＩＣ１１に更新された各パーティションの管理情報を書き込む。
【００５７】
これにより、磁気テープ１２にファイル単位でデータが記録されると共に、上記ＭＩＣ１１に磁気テープ１２に記録した個々のファイルの識別情報等が記録される。
【００５８】
また、データを複数のテープカセット１０に亘って記録する場合には、システムコントローラ１６１は、データが記録されている全てのテープカセット１０に関する情報と、データが記録される各々のテープカセット１０を識別するための識別情報と各々のテープカセット１０に記録されているデータを識別するための識別情報を発生し、書き込み／読み出し制御部１６３がこれらの識別情報をＲＡＭ１６２に記憶する。
【００５９】
また、このテープストリーマ装置では、上述のように記録が行われた磁気テープを再生する際に、テープカセット１０が記録再生部１３０に装着されると、上記端子開口部５１から接点端子６３が露出し、露出した接点端子６３が上記コネクタ１３７を介して上記書き込み／読み出し制御部１６３に接続される。
【００６０】
そして、書き込み／読み出し制御部１６３は、コネクタ１３７、接点端子６３を介して上記ＭＩＣ１１から上述の管理情報、個々のファイルの識別情報、個々のファイルの記録位置を管理するための管理情報を読み出して上記ＲＡＭ１６２に書き込む。
【００６１】
一方、上記記録再生部１３０は、上記システムコントローラ１６１から磁気テープ１２の再生が指示されると、回転ドラム１３１の回転数が記録時と同じになるように回転ドラム１３１の回転を制御すると共に、磁気テープ１２が一定の速度で走行するように磁気テープ１２の走行を制御する。これにより、再生用の記録ヘッドＨｒ１，Ｈｒ２が磁気テープ上を傾斜して走査し、磁気ヘッドＨｒ１，Ｈｒ２は、記録トラックの走査に応じた再生出力をアンプ１４１を介して同期信号検出部１４２に供給する。同期信号検出部１４２は、供給される再生出力から同期信号を検出し、この同期信号に同期したクロックにより再生出力を２値化し、再生データを生成して８／１０復調部１４３に供給する。
【００６２】
８／１０復調部１４３は、上記同期信号検出部１４２からの再生データを１０ビットデータから８ビットデータに変換してヘッダパリティチェック部１４４に供給する。ヘッダパリティチェック部１４４は、上述の２バイトのヘッダパリティを用いてサブコード及びブロックアドレスのパリティチェックを行う。そして、サブコード分離部１４５は、上記ヘッダパリティチェック部１４４によりパリティチェックされた正しいサブコードを再生データから分離して、図示しないシステムコントローラなどに供給し、サブコードを分離した再生データをメモリ１４９に供給する。
【００６３】
メモリ１４９は、上記４０トラックすなわち２０フレーム分の再生データを１単位として、上記インデックス情報が付加された再生データを１単位毎に一時記憶する。そして、Ｃ１デコーダ１４６Ａは、メモリ１４９に記憶された１単位毎の再生データに基づいて、上述の各ブロック毎に付加されている誤り訂正符号Ｃ１を用いて、各ブロックの再生データに誤り訂正処理を施す。
【００６４】
また、上記Ｃ２デコーダ１４６Ｂは、上記Ｃ１デコーダ１４６Ａにより誤り訂正処理が施された１単位毎の再生データについて、上述の各トラックの再生データ領域の両端部分に付加されているエラー訂正符号Ｃ２を用いて、トラック方向に対応するデータ列にエラー訂正処理を施す。さらに、上記Ｃ３デコーダ１４６Ｃは、上記Ｃ２デコーダ１４６Ｂにより誤り訂正処理が施された１単位毎の再生データについて、上述の１単位４０トラックの最終の２トラックに割り当てられているエラー訂正符号Ｃ３を用いて、トラック幅方向に対応するデータ列にエラー訂正処理を施す。
【００６５】
このテープストリーマ装置では、このようにエラー訂正符号Ｃ１，Ｃ２，Ｃ３を用いて再生データにエラー訂正処理を施しているために、確実に再生データのエラーを訂正することができ、再生データの信頼性を向上させることができる。
【００６６】
また、インデックス分離部１４７は、上述のようにエラー訂正処理部１４６によりエラー訂正処理が施された１単位毎の再生データから、インデックス情報を分離して、上記システムコントローラ１６１等に供給し、インデックス情報を分離し再生データをインターフェースコントローラ１００に供給する。
【００６７】
そして、インターフェースコントローラ１００は、インデックス分離部１４７からの再生データをバス１０５を介してパーソナルコンピュータ、ワークステーション等のホストコンピュータ２００に送信する。
【００６８】
図２には、磁気テープ１２に記録されるデータの構造を示している。図２（ａ）には１本の磁気テープ１２が模式的に示されている。本実施の形態においては、１本の磁気テープ３をパーティション（Partition） 単位で分割して利用することができるものとされ、テープ先頭からのデバイスエリアＤＡに続いて最初のパーティションＰ0 が配置されている。以下、パーティションの分割数に応じて、パーティションＰ1、Ｐ2、Ｐ3 ・・・の順に配置される。本実施の形態のシステムの場合には最大２５６のパーティション数を設定して管理することが可能とされている。この図２に示す各パーティションＰ0、Ｐ1、Ｐ2、Ｐ3・・・の添え字、すなわちパーティションＰn のｎは、パーティションナンバを示している。本実施の形態においては、パーティションごとにそれぞれ独立してデータの記録／再生等を行うことが可能とされている。
【００６９】
１つのパーティションＰn （ｎ＝０，１，２，・・・）の概略構成は、図２（ｂ）に示すように、システムエリアSYS と、データエリアDATAと、エンドオブデータEOD と、オプショナルデバイスエリアODA とから成っている。
【００７０】
ここで、磁気テープの記録データのより詳細な構造について、図３を参照しながら説明する。
【００７１】
この図３のテープの物理的な先頭位置ＰＢＯＴ（Phisycal Begining of Tape） から最初のパーティションＰ0 の先頭位置ＬＢＯＴ（Logical Begining of Tape）までの間には、テープカセットのローディング／アンローディングを行う領域となるデバイスエリア（Device Area） が設けられている。このデバイスエリアに続いて、テープの使用履歴情報等が格納されるシステム・ログエリアが設けられて、以降にデータエリアが設けられる。システム・ログエリアの先頭が論理的テープの開始位置ＬＢＯＴ（Logical Bigining of Tape）とされる。
【００７２】
このデータエリアにおいては、最初にデータを作成して供給するベンダーに関する情報が示されるベンダーグループが設けられ、続いて、アンブル（Amble）フレーム、そして、データ領域が設けられている。
【００７３】
上記データ領域に続いて、当該パーティションのデータ領域の終了を示すＥＯＤ（End of Data ）の領域が設けられる。そしてＥＯＤの最後が、論理的テープの終了位置ＬＥＯＴ（Logical End of Tape ）とされる。ＰＥＯＴ（Phisycal End of Tape）は、物理的テープの終了位置、又はパーティションの物理的終了位置を示すことになる。
【００７４】
上記論理的テープの終了位置ＬＥＯＴとパーティションの終了位置とされた場合の物理的テープの終了位置ＰＥＯＴとの間には、上述したＥＯＤ領域が設けられて、続いてオプションデバイスエリア（Option Device Area；ＯＤＡ）が設けられている。
【００７５】
オプションデバイスエリアは、上述したようにテープカセットのローディング／アンローディング位置であって、各パーティション毎に設けられている領域であって、ここには当該オプションデバイスエリアが属しているパーティションの位置情報が記録されている。この位置情報を確認することで、現在位置しているパーティション位置を確認することができる。さらに、例えば、隣のパーティションの位置もこの位置情報により確認することができる。例えば、位置情報は、オプションデバイスエリア内のＩＤエリアに記録されている。
【００７６】
なお、オプションデバイスエリアは、上述したように、最後のパーティションを除いた全てのパーティションの最終位置にテープカセットの排出時の排出領域とされて設けられているものでる。また、先頭のパーティションの直前、すなわち磁気テープの物理的先頭位置部にもテープカセットの排出時の排出領域が形成されていることがこれは上述したデバイスエリアである。
【００７７】
ところで、テープ１２上には、例えば図４（Ａ）に示すように、上記回転ヘッド１３１により斜めの記録トラックが順次記録形成され、４０トラック（＝２０フレーム）を１グループとして、複数のグループで上記１つのパーティションを形成している。すなわち、１つのパーティション内におけるデータの記録単位がグループとされ、この１グループが図４（Ａ）に示すように２０フレーム（＝４０トラック）で構成されている。
【００７８】
１トラックは、図４（Ｂ）に示すようなデータ構造のブロック（Block） に分割されており、このブロックが４７１ブロックまとめられて上記１トラックが形成されている。すなわち、図４（Ｂ）には１ブロック内のデータ構造を示しており、１ブロックは１バイトのＳＹＮＣデータエリアＡ１に続いてサーチ等に用いる６バイトのＩＤエリアＡ２、ＩＤデータのための２バイトからなるエラー訂正用のパリティエリアＡ３、６４バイトのデータエリアＡ４より形成される。また、１トラックは、図４（Ｃ）に示すように、全４７１ブロックにより形成され、１トラックは、両端に４ブロック分のマージンエリアＡ１１、Ａ１７が設けられ、これらマージンエリアＡ１１の後ろとマージンＡ１７の前にはトラッキング制御用のＡＴＦエリアＡ１２、Ａ１６が設けられる。更に１トラックの中間に対してＡＴＦエリアＡ１４が設けられる。これらＡＴＦエリアＡ１２、Ａ１４、Ａ１６としては５ブロック分の領域が設けられる。そして、上記ＡＴＦエリアＡ１２、Ａ１４の間と、ＡＴＦエリアＡ１４、Ａ１６との間にそれぞれ２２４ブロック分のデータエリアＡ１３、Ａ１５が設けられる。したがって、１フレーム内における全データエリア（Ａ１３及びＡ１５）は、全４７１ブロックのうち、２２４×２＝４４８ブロックを占めることになる。
【００７９】
また、このテープストリーマ装置１では、上記データ領域を、７３バイトを１ブロックとして４４８ブロックに分割し、さらに、１ブロックを同期信号を記録する１バイトの第１区間と、ＩＤを記録する６バイトの第２区間と、ヘッダパリティを記録する２バイトの第３区間と、データを記録する６４バイトの第４区間に分割して、各ブロック毎にサブコードとブロックアドレスをデータと共に記録する。
【００８０】
上記第４区間に記録するデータは、図５に示すように、５８バイト×３８４ブロック分すなわち２２２７２バイトのデータ毎に２次元構成の誤り訂正符号Ｃ２、Ｃ１が付加された６４バイト×４４８ブロック分のデータを各ブロック毎に振り分けられて構成されている。そして、図５中に示すように、上記誤り訂正符号Ｃ１は各ブロック毎のメインデータに付加されて記録され、また、上記誤り訂正符号Ｃ２は各トラックの上記メインデータ領域の両端部分の各々３２ブロックに２分割されて記録される。
【００８１】
また、このテープストリーマ装置１では、２トラックすなわち９４２ブロック分の１フレームとして、４０トラックすなわち２０フレームを１単位（グループ）としたエラー訂正用の符号構成を採用し、図６に示すように、トラック方向に対応するデータ列のエラー訂正符号Ｃ２をトラックの両側に配置して記録し、トラック幅方向に対応するデータ列のエラー訂正符号Ｃ３を上記４０トラックの最終の２トラックに割り当てて記録する。なお、上記１単位毎に、１連のデータを識別するためのインデックス情報が付加されている。
【００８２】
そして、上記サブコードとして、メインデータの区切りを示す区切り情報であるセパレータカウント、記録数を示すレコードカウント、テープフォーマット上で定義された各領域を示すエリアＩＤ、記録単位の絶対位置を示すフレーム番号、記録単位数を示すグループカウントやチェックサムなどを記録する。
【００８３】
次に、図４（Ｂ）に示したＩＤエリアＡ２について図７〜図１０を参照しながら説明する。
【００８４】
ＩＤエリアＡ２は図７に示すようなデータ構造とされ、このＩＤエリアＡ２は９ビットのフィジカルブロックアドレス(Physical Block Address)Ａ２１と、これに続く３９ビットのＩＤインフォメーションエリア（ID Information Area ）Ａ２２の領域よりなる。
【００８５】
前述のように、１トラック内における全データエリア（Ａ１３及びＡ１５）は４４８ブロックよりなることから、これら全データエリアに含まれるフィジカルブロックアドレスＡ２１の数も４４８とされることになる。そして、これら４４８のフィジカルブロックアドレスＡ２１は、例えば図８に模式的に示すように１トラックの先頭に位置するフィジカルブロックアドレスＡ２１から順に、１０進法表現で０〜４４７までインクリメントするようにしてアドレス値が与えられる。
【００８６】
これにより、例えば記録再生装置側により、１トラック内のデータエリアに含まれるＩＤインフォメーションエリアＡ２２の情報を適正に扱うことが可能なようにされる。ここで、１トラック内のデータエリアに含まれるＩＤインフォメーションエリアＡ２２のデータサイズとしては、
0003997570.tif 000002
で求められるように、２，１８４バイトとなる。
【００８７】
図７に示したＩＤインフォメーションエリアＡ２２に格納されるＩＤエリア情報の種類は図９に示すようなものされ、この図９に示す各ＩＤエリア情報が１トラック上のデータエリアに含まれる計２，１８４バイトのＩＤインフォメーションエリアＡ２２，Ａ２２・・・・の領域に対して、所定の規則に従って当て嵌められるようにして格納されることになる。また、テープストリーマ装置によるＩＤエリア情報の確実な読み出しを可能とせしめることを考慮して、１トラックごとに同一の種類のＩＤエリア情報が所定の規則に従って複数回記録される。
【００８８】
この図９において、ロウフォーマットＩＤ（Raw Format ID:16bit）は、磁気テープに関する基本的フォーマットのタイプが示され、本実施の形態の場合には、例えばトラックピッチ、１フレームのデータサイズ、１トラックに含まれるブロック数、１ブロックのデータサイズ、テープ長、テープ厚、テープの材質等の情報が示される。ロジカルフォーマットＩＤ（Logical Format ID:8bit）は、実際に使用される記録フォーマットのタイプが示される。
【００８９】
ロジカルフレームＩＤ（Logical Frame ID:8bit） は、図９のようにラストフレームＩＤ（Last Frame ID:1bit）、ＥＣＣフレームＩＤ（ECC Frame ID:1bit）、及びロジカルフレームナンバ（Logical Frame Number:6bit） よりなる。ラストフレームＩＤは、当該ＩＤエリアが含まれる現フレームが、グループ内の最後のフレームであるか否かを示し、ＥＣＣフレームＩＤは、現フレームのデータエリアの記録データがＥＣＣ（誤り訂正符号）とされているか否かを示す。
【００９０】
また、前述のように１グループは２０フレームよりなるが、ロジカルフレームナンバは、当該フレームが現グループ内の何番目のフレームであるかを示す。
【００９１】
パーティションＩＤ（Partition ID:16bit）は、現フレームを含むパーティションのパーティションナンバが示される。
【００９２】
エリアＩＤ（Area ID:4bit）は、当該フレームがどのエリアに属しているかを示すものとされる。データＩＤ（Data ID:4bit）は、記録フォーマットに基づくデータの処理形態のタイプが示され、Ｎ−ポジション（N-Position:4bit ）及びＮ−リピート（N-Repeats:4bit）は多重記録モードに対応するデータに関する情報が定義される。
【００９３】
グループカウント（Group Count:24bit） は、現パーティションにおいて当該フレームが含まれるグループまでのグループの総数を示す。また、ファイルマークカウント（File-Mark Count:32bit） は、現パーティションにおいて、その開始位置から現グループまでに含まれるファイルマークの総数が示される。ファイルマークは１パーティション内におけるデータファイルの区切りを示す情報とされる。
【００９４】
セーブセットマークカウント（Save-Set Mark Count:32bit) は、現パーティションにおいて、その開始位置から現グループまでに含まれるファイルマークの総数が示される。セーブセットマークは１パーティション内における、データセーブ位置の区切りを示す情報とされる。
【００９５】
レコードカウント（Record Count:32bit）は、現パーティションにおいて、その開始位置から現グループまでに含まれるレコードの総数が示される。アブソリュートフレームカウント（Absolute Frame Count:24bit）は、現パーティションにおいて、その開始位置から現グループまでに含まれるフレームの総数が示される。また、将来のＩＤエリア情報の追加等に備えて未定義（Reserved）の領域が設けられる。
【００９６】
なお、この図９に示すＩＤエリア情報の定義及び各ＩＤエリア情報に与えられるビット数等は一例であり、実際の使用条件に応じて変更されて構わない。
【００９７】
ここで、上記図９に示した各種ＩＤエリア情報のうち、本実施の形態の重点となるエリアＩＤ（Area ID） について説明する。
【００９８】
図１０はエリアＩＤの定義内容を示しており、この場合にはエリアＩＤを形成する４ビットに対してそれぞれビットナンバ（３−２−１−０）が付されている。そして、ビットナンバ（３−２−１−０）の各値が、図１０に示すように［００００］とされている場合にはデバイスエリア（Device Area） であることが定義され、［０００１］とされている場合にはリファレンスエリア（Reference Area）とされ、［００１０］とされている場合にはシステムログエリア（System Log Area）とされる。［００１１］は未定義（Reserved）とされている。
【００９９】
また、［０１００］はデータエリア（Data Area） とされ、［０１０１］はＥＯＤエリア（EOD Area）とされ、［０１１０］は未定義、［０１１１］は図３に示した必須のデバイスエリア以外で、磁気テープ１２のローディング／アンローディングを行うためのオプションデバイスエリア（Option Device Area）であることが定義される。このオプションデバイスエリアについては後述する。
【０１００】
なお、この図１０においてビットナンバ（３−２−１−０）のビットの値が示される各欄において（  ）内に示す数は、各ビット値を１０進法により示しているものとされる。
【０１０１】
図１１には、ＭＩＣのデータ構造を示している。ＭＩＣの容量は、例えば２メガバイトとされており、この領域にフィールドＦ1〜Ｆ4が設定されている。
【０１０２】
フィールドＦ1は、ＭＩＣヘッダ（MIC HEADER）とされて、初期化時のテープ情報やパーティションごとの情報などが書き込まれている。詳しくは、ＭＩＣヘッダは、製造時の諸情報が記録されている製造情報Ｆ11、シリアルナンバーＦ12、メモリ管理情報Ｆ13、操作モード用フラグＦ14及びアンロード位置情報Ｆ15等から構成されている。
【０１０３】
上記アンロード位置情報Ｆ15は、主として、テープストリーマ装置１からアンローディングされた時の磁気テープ１２の位置情報等から構成されている。例えば、絶対フレーム番号（Absolute Frame Number；ＡＦＮ）、パーティション番号（Partition #）、Ｇｒｏｕｐ  Ｃｏｕｎｔ、Ｒｅｃｏｒｄ  Ｃｏｕｎｔ、Ｍａｒｋ１  Ｃｏｕｎｔ、Ｍａｒｋ２  Ｃｏｕｎｔ等から構成されている。
【０１０４】
また、フィールドＦ2は、磁気テープ１２上に実際に記録されたパーティションごとに対応して作成されて、各システムログ（System Log）が格納され、各パーティション毎のシステムログが記録されている。なお、磁気テープ１２上のシステムログエリアの領域は、このＭＩＣ内のシステムログエリアと同様の内容の情報が書き込み可能なように形成される。
【０１０５】
また、フィールドＦ3は、ユーザデータ（User DATA）とされ、テープカセット自体に関してユーザ（ベンダー等）が提供した情報が格納され、必要があれば外部のホストコンピュータ２００に供給されて、所要の処理制御のために利用することができる。
【０１０６】
そして、フィールドＦ4は、マップ（Map）領域とされて、各種データの絶対位置情報が格納される。
【０１０７】
テープストリーマ装置１は、以上のようにデータ領域が構成された磁気テープ１２を有するテープカセットをアンローディング及びローディングする。具体的な例を示し、それに従ってアンローディング及びローディングの動作を以下に説明する。
【０１０８】
図１２のフローチャートは、テープストリーマ装置１がパーティションＰn内に記録されているデータを更新する場合のローディングの動作における処理手順を示している。また、図１３には、その磁気テープ１２のローディング及び磁気テープ１２の送り動作を示している。
【０１０９】
磁気テープ１２の送り駆動制御については、上述したようにモータ駆動及びサーボ回路１５０によって行い、モータ駆動及びサーボ回路１５０の駆動制御については、システムコントローラ１６１によって行う。
【０１１０】
先ず、テープストリーマ装置１は、図１２のステップＳ１に示すように、テープカセットが装着された時点に位置されているパーティションＰn-1のＯＤＡへのローディングを行う。図１３において▲１▼の処理である。
【０１１１】
ここで、ローディング時にパーティションＰn-1のオプションデバイスエリアＯＤＡに磁気テープが位置されており、これは、テープストリーマ装置１のアンローディング動作によって、アンロード時にパーティションＰnから移動されたためである。すなわち、アンロードする直前にデータの記録又は再生処理等がなされたいたのはパーティションＰnであって、テープストリーマ装置１は、アンロードの動作によって、当該パーティションＰnの直前のパーティションＰn-1内の最終位置に設けられているオプションデバイスエリアＯＤＡに磁気テープ１２を送ってテープカセットを排出している。
【０１１２】
ステップＳ２及びステップＳ３では、ＭＩＣに記録されているアンロード位置情報と当該装着された位置に記録されている位置情報とを調べてその比較を行う。例えば、オプションデバイスエリアＯＤＡにおいて位置情報は、ＩＤに記録されている。テープストリーマ装置１は、このＩＤに記録されている位置情報とアンロード時にＭＩＣに記憶された位置情報と比較する。これにより、アンローディング時の位置とローディングによって確認した位置が一致しているかを確認している。
【０１１３】
ステップＳ３において位置情報が一致していると判断した場合、テープストリーマ装置１は、ステップＳ４に示すように、パーティションＰnのシステムエリアをサーチして、当該システムエリアに記録されている使用履歴情報等の各種情報を読み込む。ここので行う処理は、図１３における▲２▼の処理である。
【０１１４】
上記各種情報を読み込んだ後、テープストリーマ装置１は、ステップＳ５に示すように、データ領域の先頭位置から新たなデータを書き込む。この処理は、図１３に示す▲３▼の処理である。
【０１１５】
データの書き込みを行った後、テープストリーマ装置１は、ステップＳ６に示すように、データの終了位置であることを示すために新たなＥＯＤを書き込む。そして、テープストリーマ装置１は、ステップＳ７に示すように、ＭＩＣに記憶したデータ、すなわちテープ使用履歴情報等の更新を行い、当該データの更新処理を終了する。
【０１１６】
なお、ステップＳ３において位置情報が一致しないと判断した場合、テープストリーマ装置１は、ステップＳ８に示すように、磁気テープを先頭位置まで巻き戻し、続いて、ステップＳ９に示すように、エラー処理を行い、当該処理を終了する。
【０１１７】
上述のようにデータを書き込むことによって、従来のデータ上に新たなデータが上書きされるため、データ領域は、図１４に示すように、上書きしたデータ（Ｎｅｗ  ＤＡＴＡ）及び新たなＥＯＤ（Ｎｅｗ  ＥＯＤ）と、上書きされることで無効とされた旧データ（Ｏｌｄ  ＤＡＴＡ）及びもとのＥＯＤ（Ｏｌｄ  ＥＯＤ）とが記録された状態となる。
【０１１８】
上記旧データ（Ｏｌｄ  ＤＡＴＡ）領域は、当然に上書きしたデータ（ＮｅｗＤＡＴＡ）によって途中から分断されているため無効データとされるため、上書きしたデータ（Ｎｅｗ  ＤＡＤＡ）以降の旧データ（Ｏｌｄ  ＤＡＴＡ）部分のデータの読み出しは不可能となる。
【０１１９】
よって、データ領域は、有効とされるデータと当該有効とされるデータの記録再生方向に連続して形成された無効とされるデータとで構成されることになる。
【０１２０】
本発明の実施の形態とされるテープストリーマ装置１は、記録又は再生等の実行中にアンロードする命令が出されると当該処置していたパーティションの直前のパーティションの最終位置に設けられているオプションデバイスエリアＯＤＡに磁気テープ１２を送ってテープカセットを排出処理するように構成している。
【０１２１】
これに対して、アンロードの命令が出された当該パーティション内の最終位置に設けられているオプションデバイスエリアＯＤＡに磁気テープ１２を送ってテープカセットを排出処理することも可能である。
【０１２２】
図１５には、アンロード命令は出されたときに、上記直前に設けられているパーティションＮ−１内のオプションデバイスエリアＯＤＡになるように磁気テープ１２を送る場合（ａ）と、当該アンロード命令が出された時に位置しているパーティションＮ内のオプションデバイスエリアＯＤＡになるように磁気テープ１２を送る場合（ｂ）とについて示している。そして、アンロード命令が出される直前に位置しているパーティションＮは、例えば、新たなデータによって更新されてデータ領域によって構成され、すなわち上記図１４に示すように、有効データ（Ｎｅｗ  ＤＡＴＡ）と無効データ（Ｏｌｄ  ＤＡＴＡ）によって構成されている。
【０１２３】
当該アンロード命令が出された時に現在位置しているパーティションＮ内のオプションデバイスエリアＯＤＡに磁気テープ１２を送る場合、上述したようにデータが更新されたパーティションにおいて行おうすると、図１５の（ｂ）に示すように、無効データが存在するデータ領域を通過しなければならない。
【０１２４】
しかし、無効データ（Ｏｌｄ  ＤＡＴＡ）は、当然、読み込むことはできない。よって、このようなデータ領域を通過した場合、テープストリーマ装置１は、現在位置を把握することができなくなり、その結果、目的としているオプションデバイスエリアＯＤＡをサーチすることができなくなってしまい、テープカセットをアンロードすることができなくなる。
【０１２５】
すなわち、テープストリーマ装置１は、図１５の（ａ）示すように、アンロード命令が出されたパーティションＮの直前のパーティションＮ−１のオプションデバイスエリアＯＤＡに磁気テープ１２を送ることで、データが更新された場合であっても、無効とされた領域を通過することがないため、確実にテープカセットをアンロードすることができる。
【０１２６】
また、アンロード時の動作として送られる磁気テープ１２内に無効データが存在することがないため、テープストリーマ装置１は、例えば、その送り過程に無効データが存在するか否かといった判断する例外処理をすることなく、アンロードの処理を迅速に行うことができる。すなわち、テープストリーマ装置１は、どのパーティションにおいても同一のシーケンスによってアンロードすることができる。
【０１２７】
また、例えば、無効データ（Ｏｌｄ  ＤＡＴＡ）中に位置していると時に、装置の電源が切れてしまった場合、次に復旧によって記録再生方向の反対方向に行ってもシステムエリア（ＳＹＳ）が発見される前にＥＯＤに出合ってしまい、位置を誤ってしまう。
【０１２８】
次にアンロード及びローディングについての動作過程について説明する。図１６には、現在実行中にデータ領域に位置している状態からテープカセットがアンロードされるまでの過程を示している。なお、図１６において、（  ）内に示す数字は、テープストリーマ装置の動作順序を示している。
【０１２９】
また、図１６には、ＭＩＣを有するテープカセットをアンロードする動作であって、このＭＩＣに各種情報を記憶しながらアンロードする動作と、パーティションに設けれているシステムエリアに各種情報を記録してからテープカセットをアンロードする動作とを示している。
【０１３０】
先ず、ＭＩＣを有するテープカセットのアンロードであって、このＭＩＣに各種情報を記憶しながらアンロードする動作について説明する。
【０１３１】
テープストリーマ装置１は、まず、現在位置しているデータ領域から当該データ領域の先頭位置に磁気テープを巻き戻す（１）。例えば、この巻き戻し開始は、図１に示すホストコンピュータ２００からの命令によって実行される。
【０１３２】
データ領域の先頭位置への磁気テープ１２の巻き戻しに続いて、排出位置とされる当該パーティションの直前のパーティションに設けられているオプションデバイスエリアＯＤＡの中間位置へ磁気テープ１２を巻き戻す（２−２）。
【０１３３】
ここで、テープストリーマ装置１は、テープカセットのＭＩＣにテープ使用履歴情報（システムログ）及びアンロードした位置の情報であるアンロード位置情報を記憶する。アンロード位置情報は、例えば、パーティションの番号とされる。
【０１３４】
そして、アンローディング動作によって、テープカセットをテープストリーマ装置１から排出する（３−２）。例えば、テープストリーマ装置１は、テープカセットの排出動作として、スレッディング動作に続き、テープカセットを当該装置内で適宜移動させて、例えば上昇させてテープカセットを排出する。例えば、一連の動作（（２−２）→（３−２））に要する時間は、１８秒となる。
【０１３５】
このように、テープストリーマ装置１は、ＭＩＣに位置情報を記憶することで、次回に再装着された際にＭＩＣに記憶されているアンロード位置情報をもとにして、前回終了されたパーティションＰnに移動することができる。
【０１３６】
よって、テープストリーマ装置１は、磁気テープ１２を全部巻き戻すことを省略することができるために、テープカセットをアンロードする時間を短縮することができる。
【０１３７】
また、各パーティションに設けられているシステムエリアに、テープ使用履歴情報等を記録することもできる。例えば、ＭＩＣを有していないテープカセットを場合に、各パーティションに設けられているシステムエリアにテープ使用履歴情報が記録される。このときのアンロードの動作は、（１）から（５）にかけての動作となる。
【０１３８】
システムエリアに使用履歴情報を記録する場合のアンローディングの動作も同様に、現在位置しているデータ領域から当該データ領域の先頭位置に磁気テープ１２を巻き戻す（１）。
【０１３９】
データ領域の先頭位置に巻き戻し後、システムエリアに履歴情報を記録するため、システムエリアの記録開始位置をサーチする（２−１）。システムエリアに対しては、テープ使用履歴情報が記録される。
【０１４０】
システムエリアのデータ更新を終了すると、テープカセットを排出するために、当該パーティションＰnの直前のパーティションＰn-1に設けれれているオプションデバイスエリアＯＤＡの中間位置へ磁気テープを巻き戻す（４）。
【０１４１】
そして、テープストリーマ装置１は、アンロードの動作によって、テープカセットを排出する（５）。
【０１４２】
例えばシステムエリアにテープ使用履歴情報を記録する場合の上記一連の動作（（２−１）→（５））に要する時間は、３０秒となる。
【０１４３】
ここで、上述したＭＩＣを備えたテープカセットについて行う場合と比較すると、システムエリアに使用履歴情報を記録する動作分（（２−１）→（３））の時間が多く、例えば１２秒の差が生じている。
【０１４４】
よって、テープストリーマ装置は、ＭＩＣに使用履歴情報や位置情報を記憶することで、システムエリアの上記情報を書き込むことを要しないため、高速でアンローディングの動作を完了させることができるようになる。
【０１４５】
また、テープカセットのデータ書き込み禁止のタブによって磁気テープ１２に対するデータの記録ができない場合、ＭＩＣを有していなく、磁気テープ１２に直接各種情報を書く方式では、当然、情報を書くことができないが、ＭＩＣに各種情報を記録する方式では、上記書き込み禁止タブの操作状態に関係なく、テープ使用履歴情報をＭＩＣに記憶させておくことができる。よって、ＭＩＣに各種情報を書き込む方式にあっては、テープカセットをアンロードした際に、ＭＩＣに記憶されているテープ使用履歴情報を参照することができるようになる。
【０１４６】
例えば、テープストリーマ装置１は、図１７に示すフローチャートに従って、ＭＩＣにアンロード位置情報およびテープ使用履歴情報を記憶する。
【０１４７】
先ず、テープストリーマ装置１は、図１に示すホストコンピュータ２００からアンロード命令が来た後、ステップＳ１１に示すように、現在実行中の処理を終わらせる。
【０１４８】
そして、テープストリーマ装置１は、磁気テープ１２を巻き戻して、当該処理していたパーティション内の先頭位置に設けられているシステムエリアを通過して、直前に連続して設けられているパーティションのオプションデバイスエリアＯＤＡまで、磁気テープ１２を巻き戻す。
【０１４９】
磁気テープ１２の巻き戻しをしてから、テープストリーマ装置１は、ステップＳ１２、それに続くステップＳ１３に示すように、テープ使用履歴情報、及びアンロード位置情報をテープカセットのＭＩＣに記憶させる。
【０１５０】
その後、テープストリーマ装置１は、ステップＳ１５において、アンロード動作を行い、続いてステップＳ１６に示すように、テープカセットを排出して、アンロード動作を終了する。
【０１５１】
次に、ローディングの動作について説明する。図１８には、前回のアンロード時の動作によってパーティションＮ−１のオプションデバイスエリアＯＤＡに磁気テープ１２が巻き戻されたテープカセットが今度はアンロードされたときの動作過程を示している。なお、図１８において、（  ）内に示す数字は、テープストリーマ装置の動作順序を示している。
【０１５２】
また、図１８には、ＭＩＣを有するテープカセットをローディングする動作であって、このＭＩＣに記憶されている各種情報を読み出しながらするローディングの動作と、パーティションに設けれているシステムエリアに記録されている各種情報を読み出しながらローディングする動作を示している。
【０１５３】
先ず、ＭＩＣを有するテープカセットをローディングする動作であって、このＭＩＣに記憶されている各種情報を読み出しながらするローディングの動作について説明する。
【０１５４】
テープストリーマ装置１は、装着されたテープカセットについてローディング処理する（１）。例えば、ここで行うローディングでは、当該装置に挿入されたテープカセットを所望の位置に移動した後、スレディング動作を行う。
【０１５５】
そして、テープストリーマ装置１は、ここで、オプションデバイスエリアＯＤＡのＩＤに記録されている位置情報を読み取って、テープカセットのＭＩＣに記録されているアンロード位置情報との比較を行い、情報が一致する場合は、続いて前回実行処理していた位置のサーチを行う。
【０１５６】
すなわち、テープストリーマ装置１は、現在位置しているパーティションＮ−１から記録再生方向に磁気テープ１２を送り、テープカセットが排出される直前に実行処理していた位置である次のパーティションＮに設けられているシステムエリアをサーチし（２−２）、スタンバイ状態となる。
【０１５７】
テープストリーマ装置１は、前回処理していたときのテープ使用履歴情報をＭＩＣに記憶されているものを参照にするので、サーチは、システムエリアの最終位置を確認するだけで済む。
【０１５８】
例えば、この一連の動作（（１）→（２−２））に要する時間は、１２秒である。
【０１５９】
テープストリーマ装置１は、このようにして、ＭＩＣに記憶されている位置情報に基づいて前回処理していたパーティションＮへ移動する。
【０１６０】
テープストリーマ装置１は、従来より行われていたように、テープの頭から前回実行処理していた位置に移動しなくて済むため、高速でテープカセットをローディングすることができるようになる。
【０１６１】
一方、システムエリアに記録されているテープ使用履歴情報を読み取りながら前回実行処理していたパーティションＮに移動する場合、テープストリーマ装置１は、ＭＩＣに各種情報が記憶されている場合と同様に、当該装置に装着されたテープカセットをローディングする（１）。
【０１６２】
そして、テープストリーマ装置１は、テープ使用履歴情報を読み込むために、テープ使用履歴情報が記録されているシステムエリアの記録開始位置をサーチする（２−１）。
【０１６３】
テープストリーマ装置１は、システムエリアの先頭位置に達したら、当該システムエリアに記録されているテープ使用履歴情報を読み出す（３）。そして、このデータ読み出しの終了とともにシステムエリアの終了位置として、スタンバイ状態にする。
【０１６４】
例えば、システムエリアに記録されている使用履歴情報を読み取ってローディングの動作を完了した場合、その一連の動作（（１）→（２−２））に要する時間は、２４秒となる。
【０１６５】
よって、上述したＭＩＣを備えたテープカセットについて行う場合と比較すると、システムエリアからテープ使用履歴情報を読み出す動作分（３）の時間が多くかかり、例えば１２秒多くかかってしまう。
【０１６６】
よって、テープストリーマ装置１は、ＭＩＣにテープ使用履歴情報を記憶することで、システムエリアからテープ使用履歴情報を読み出すことを要しないために、高速でローディングの動作を完了させることができるようになる。
【０１６７】
例えば、テープストリーマ装置は、図１９に示すフローチャートに従って、アンロード位置情報およびテープ使用履歴情報を読み出す。
【０１６８】
先ず、テープストリーマ装置１は、テープカセットが挿入された後、ステップＳ２１及びステップＳ２２に示すように、テープカセットを装着して、ローディングの処理を行う。
【０１６９】
ローディング処理を行った後、テープストリーマ装置１は、ステップＳ２３、それに続くステップＳ２４に示すように、テープ使用履歴情報、及びアンロード位置情報をテープカセットのＭＩＣから読み出す。
【０１７０】
ＭＩＣから各種情報を読み出した後、テープストリーマ装置１は、ステップＳ２５に示すように、図１に示す回転ヘッド１３１にテープを巻き付け、続いて、ステップＳ２６に示すように、オプションデバイスエリアＯＤＡに記録されているＩＤを読み取る。
【０１７１】
そして、テープストリーマ装置１は、ステップＳ２７に示すように、ＩＤに格納されている位置情報を読み取り、ステップＳ２７において、そのＩＤから読み取った位置情報とＭＩＣから読み出しているアンロード位置情報との比較判別する。すなわち、この位置情報の比較によって、ＭＩＣに記録されていたアンロード時の位置と現在ローディングした位置が一致しているかを確認する。
【０１７２】
ステップＳ２７における比較判別の結果、読み取った位置情報が一致していると判断した場合、テープストリーマ装置１は、当該パーティションに対して記録再生方向に連続して形成されているパーティション、すなわち当該パーティションの直後にパーティション、に設けられているシステムエリアの最終位置になるように磁気テープ１２を送り、そして、ローディングに係る処理を終了する。
【０１７３】
また、ステップＳ２８における比較判別の結果、位置情報が一致しないと判断した場合、テープストリーマ装置１は、磁気テープ１２の先頭位置まで巻き戻して、エラー処理を行い、当該処理を終了する。
【０１７４】
例えば、エラー処理で行う磁気テープ１２の頭部分までの強制的な巻き戻しは、故意にリールロックが外されてテープを巻き戻した疑いがある等の理由から行っている。
【０１７５】
なお、ローディング直後にデータ領域に記録されているデータを読み込む場合は、図２０に示すフローチャートによって処理を行う。また、図２１には、その磁気テープ１２の送りの動作について示している。
【０１７６】
先ず、テープストリーマ装置１は、図２０のステップＳ４１に示すように、パーティションＰn-1のオプションデバイスエリアＯＤＡへローディングする。図２１において▲１▼の処理である。
【０１７７】
続いて、ステップＳ４２、それに続くステップＳ４３に示すように、ＭＩＣに記録されているアンロード位置情報とＩＤに記録されている位置情報とを調べてその比較を行う。
【０１７８】
ステップＳ４３において一致していると判断した場合、テープストリーマ装置１は、ステップＳ４５に示すように、パーティションＰn-1の直後のパーティションＰnのシステムエリアを探し、続いて、データ領域を探す。この処理は、図２１に示す▲２▼から▲３▼への処理である。
【０１７９】
ステップＳ４５において、データ領域を見つけたら、ステップＳ４６に示すように、当該データ領域に記録されているデータを読み出す。そして、テープストリーマ装置１は、ステップＳ４７に示すように、ＭＩＣに記憶しているデータの更新を行う。
【０１８０】
なお、ステップＳ４３において位置情報が一致しないと判断した場合、テープストリーマ装置１は、ステップＳ４８に示すように、磁気テープ１２を先頭位置まで巻き戻し、続いてステップＳ４９に示すように、エラー処理を行い、当該処理を終了する。
【０１８１】
以上に述べたように、テープストリーマ装置１は、現在実行処理しているパーティションから、当該パーティションの直前のパーティション内の最終位置に設けられているオプションデバイスエリアＯＤＡに位置するように磁気テープ１２を送り操作することで、テープカセットをアンロードする際には直前のパーティションのオプションデバイスエリアＯＤＡに位置されて、テープカセットがローディングされた際には前回実行処理していたパーティションの直前のパーティションに位置されているために、アンローディング及びローディングを高速で行うことができる。
【０１８２】
また、テープストリーマ装置１は、ＭＩＣが搭載されているテープカセットをアンロードする際に、アンロードした位置情報及びテープ使用履歴情報をＭＩＣに記憶させることで、システムエリアに上記位置情報及びテープ使用履歴情報を記録する必要がなくなり、これにより、高速でテープカセットをアンローディング及びローディングすることができるようになる。
【０１８３】
さらに、テープカセットを排出する際に、当該パーティションから直前に設けられているパーティションのオプションデバイスエリアＯＤＡに移動することで、無効データを判別するような例外処理をしなくて済むために、テープストリーマ装置１は、高速で確実にアンローディング及びローディング処理することができる。
【０１８４】
なお、図２２及び図２３には、本発明の実施の形態とされるテープストリーマ装置に装着されるテープカセットの構成を例示している。
【０１８５】
図２２及び図２３に示すように、テープカセット１０は、例えば、合成樹脂材料によって略矩形浅皿状に形成された上下一対の上ハーフ１３と下ハーフ１４とを、互いの開口側を突き合わせるようにして組み合わせた後、複数の止めねじによって結合して略箱状のカートリッジ本体１５を構成している。このカートリッジ本体１５には、その内部に長手方向に並んで磁気テープ１２を掛け合わせたテープ供給リール１６とテープ巻取リール１７とが回転自在に収納されている。
【０１８６】
カートリッジ本体１５には、図に示すように、上面部を構成する上ハーフ１３の天井面に矩形の表示窓１８が設けられており、このカートリッジ本体１５の内部に収納したテープ供給リール１６とテープ巻取リール１７に巻回された磁気テープ１２の状態を外部から目視可能としている。また、カートリッジ本体１５は、図３に示すように、底面部を構成する下ハーフ１４にテープ供給リール１６とテープ巻取リール１７のハブの一部を外方へと臨ませると共にこれらテープ供給リール１６とテープ巻取リール１７の回転を規制するためのハブ嵌合穴がそれぞれのリールに対応して設けられている。なお、下ハーフ１４の底面部には、磁気テープ１２の長さを検出するためのテープ長検出穴或いは磁気テープ１２の種別を識別するテープ仕様識別穴等の種々の識別穴が設けられている。
【０１８７】
テープ供給リール１６及びテープ巻取リール１７は、磁気テープ１２が巻回される円筒状のハブ部と、このハブ部の一方側に設けられた円盤状のフランジ部とから構成される。これらテープ供給リール１６及びテープ巻取リール１７は、ハブ部がカートリッジ本体１５のそれぞれハブ嵌合穴に嵌合されることによって、カートリッジ本体１５内において回転自在に収納される。また、テープ供給リール１６及びテープ巻取リール１７は、ハブ部の回転中心部が、図示しないリール押さえバネ及びリール押さえ板によって下ハーフ１４側に付勢されることによって、カートリッジ本体１５内でのガタ付きが防止されている。
【０１８８】
カートリッジ本体１５には、磁気テープが外方に開放される前面部を閉塞する蓋部材２６が回動自在に組み付けられている。蓋部材２６は、カートリッジ本体１５の幅とほぼ等しい長さを有しており、両端側には相対向して支点部を構成する側壁部２７Ａ，２７Ｂが一体に形成されることによって全体略コ字状に形成されている。側壁部２７Ａ，２７Ｂの内面には、軸線を一致させてピン軸が一体に形成されている。このピン軸がカートリッジ本体に対して回転自在に支持されることで、蓋部材２６は、カートリッジ本体１５の上記の前面部を開閉自在にすることができる。
【０１８９】
そして、テープカセット１０は、背面に端子開口部５１を設けて、この端子開口部に補助記憶装置６０を搭載している。この補助記憶装置６０は、配線基板に実装された不揮発性メモリＭＩＣ６２と、このＭＩＣ６２の入出力端子となる配線基板に形成された複数の接点端子６３とから構成されている。
【０１９０】
上記ＭＩＣ６２は、記憶素子と、記録時に上記接点端子６３及びコネクタを介して当該ＭＩＣ６２に接続されるテープストリーマ装置の書き込み／読み出し制御部１６３との間のデータの入出力を制御するための入出力制御部とから構成されている。
【０１９１】
【発明の効果】
本発明に係るテープ記録及び／又は再生装置は、少なくとも２つのパーティションを有して、パーティションの各々に記録データが記録されているテープ状記録媒体を有しているテープカセットに対して、記録データの記録及び／又は再生を行うテープ記録及び／又は再生装置であって、走行制御手段を制御して、テープ状記録媒体を現在位置しているパーティションの直前のパーティション内の最終位置に設けられている排出領域に移動してテープカセットを排出するシステム制御手段を備えることで、テープカセットを排出する際、当該排出動作前の現在位置しているパーティションの直前のパーティション内の最終位置に設けられている排出領域になるようにテープ状記録媒体を送った後、テープカセットを排出することができる。
【０１９２】
よって、テープ記録及び／又は再生装置は、テープカセットをアンロードする際にはその直前のパーティションの排出領域に位置されて、また、テープカセットがローディングされた際には前回実行処理していたパーティションの直前のパーティションに位置されているために、テープカセットのアンローディング及びローディングを高速で行うことができる。
【０１９３】
また、テープ記録及び／又は再生装置は、テープカセットを排出する際に直前のパーティションに移動することで、無効データを判別するような例外処理をしなくて済むため、高速かつ確実にテープカセットをアンローディング及びローディングすることができる。
【０１９４】
また、本発明に係るテープ記録及び／又は再生方法は、少なくとも２つのパーティションを有して、パーティションの各々に記録データが記録されているテープ状記録媒体を有しているテープカセットに対して、記録データの記録及び／又は再生を行うテープ記録及び／又は再生方法であって、テープ状記録媒体を現在位置しているパーティションの直前のパーティション内の最終位置に設けれている排出領域に移動させるテープ移動工程と、テープ移動工程によって排出領域に移動された後に上記テープカセットを排出する排出工程とを有することで、テープカセットを排出する際、当該排出動作前の現在位置しているパーティションの直前のパーティション内の最終位置に設けられている排出領域になるようにテープ状記録媒体を送った後、テープカセットを排出することができる。
【０１９５】
よって、テープ記録及び／又は再生方法によって、テープカセットをアンロードする際にはその直前のパーティションの排出領域に位置されて、また、テープカセットがローディングされた際には前回実行処理していたパーティションの直前のパーティションに位置されているために、テープカセットのアンローディング及びローディングを高速で行うことができる。
【０１９６】
また、テープ記録及び／又は再生方法によって、テープカセットを排出する際に直前のパーティションに移動することで、無効データを判別するような例外処理をしなくて済むため、高速かつ確実にテープカセットをアンローディング及びローディングすることができる。
【図面の簡単な説明】
【図１】本発明の実施の形態とされるテープストリーマ装置の構成を示す回路ブロック図である。
【図２】上記テープストリーマ装置によってデータの書き込み又は読み出しがなされる磁気テープのデータの構成を示すデータ構成図である。
【図３】上記磁気テープにおいて複数形成されているパーティションであって、そのパーティションをデータ構成を示す図である。
【図４】上記磁気テープの１トラックのデータ構成を示す図である。
【図５】上記テープストリーマ装置により磁気テープに記録するデータの１トラック分のデータ構成を示す図である。
【図６】上記テープストリーマ装置により磁気テープに記録するデータの１単位４０トラック分のデータ構成を示す図である。
【図７】上記磁気テープのＩＤエリアのデータ構成を示す図である。
【図８】上記磁気テープの１トラック上のフィジカルブロックアドレスナンバを示す図である。
【図９】上記磁気テープのＩＤエリア情報を示す図である。
【図１０】上記ＩＤエリア情報に含まれているエリアＩＤの定義を示す図である。
【図１１】上記テープカセットに搭載されるＭＩＣに格納されているデータの構成を示す図である。
【図１２】上記テープストリーマ装置によるローディング直後に行う処理を示すものであって、上記磁気テープに設けられているパーティション内のデータを更新するときの処理を示すフローチャートである。
【図１３】上記磁気テープに設けられているパーティション内のデータを更新する処理によってデータ領域が更新されるときの過程を説明するのに用いた図である。
【図１４】上記磁気テープに設けられているパーティション内のデータを更新する処理によってデータ領域が更新されたパーティション内のデータ構成を示す図である。
【図１５】アンロード命令が出されたときに、直前に設けられているパーティションＮ−１内のオプションデバイスエリアＯＤＡに磁気テープを送る場合（ａ）と、現在位置しているパーティションＮ内のオプションデバイスエリアＯＤＡに磁気テープを送る場合（ｂ）とについて示す図である。
【図１６】上記テープストリーマ装置が上記テープカセットをアンロードするときの動作であって、ＭＩＣに各種情報を記憶させながら行う場合と、磁気テープに各種情報を記録しながら行う場合とを示す図である。
【図１７】上記テープストリーマ装置が上記テープカセットをアンロードするときに行う処理手順を示すフローチャートである。
【図１８】上記テープストリーマ装置が上記テープカセットをローディングするときの動作であって、ＭＩＣに記憶されている各種情報を読み出しながら行う場合と、磁気テープのシステムエリアに記録されている各種情報を読み出しながら行う場合とについて示す図である。
【図１９】上記テープストリーマ装置が上記テープカセットをローディングするときに行う処理手順を示すフローチャートである。
【図２０】上記テープストリーマ装置によるローディング直後に行う処理を示すものであって、上記磁気テープに設けられているパーティション内のデータを読むまでの処理を示すフローチャートである。
【図２１】上記磁気テープに設けられているパーティション内のデータを読み出す過程を説明するのに用いた図である。
【図２２】上記テープストリーマ装置の装着されるテープカセットの構成を示すであって、蓋部材が取り付けてある方向からみた斜視図である。
【図２３】上記テープストリーマ装置の装着されるテープカセットの構成を示すであって、背面方向からみた斜視図である。
【符号の説明】
１  テープストリーマ装置、１５０  モータ駆動及びサーボ回路、１６１  システムコントローラ
【図１】
0003997570.tif 000003
【図２】
0003997570.tif 000004
【図３】
0003997570.tif 000005
【図４】
0003997570.tif 000006
【図５】
0003997570.tif 000007
【図６】
0003997570.tif 000008
【図７】
0003997570.tif 000009
【図８】
0003997570.tif 000010
【図９】
0003997570.tif 000011
【図１０】
0003997570.tif 000012
【図１１】
0003997570.tif 000013
【図１２】
0003997570.tif 000014
【図１３】
0003997570.tif 000015
【図１４】
0003997570.tif 000016
【図１５】
0003997570.tif 000017
【図１６】
0003997570.tif 000018
【図１７】
0003997570.tif 000019
【図１８】
0003997570.tif 000020
【図１９】
0003997570.tif 000021
【図２０】
0003997570.tif 000022
【図２１】
0003997570.tif 000023
【図２２】
0003997570.tif 000024
【図２３】
0003997570.tif 000025